(57)【要約】【課題】  ＯＡ機器内のストレージに保存されているファイルやディレクトリのファイル名やディレクトリ名をＯＡ機器のクライアント端末の画面上に表示する際の新たな表示態様を提案すること。【解決手段】  ストレージに保存されているファイル又はディレクトリのファイル名又はディレクトリ名を取得する情報取得手段と、前記情報取得手段により取得されたファイル名又はディレクトリ名を表示する情報表示手段を備える情報処理装置であって、ストレージに保存されているファイル又はディレクトリに係るアクセス権の有無を判断する権限判断手段を備え、前記情報表示手段は、前記情報取得手段により取得されたファイル名又はディレクトリ名の内、前記権限判断手段によりアクセス権が無いと判断されたファイル又はディレクトリのファイル名又はディレクトリ名については、ファイル名又はディレクトリ名の表示を制限することを特徴とする情報処理装置。【選択図】  図６
2005141351.tif 000002
【特許請求の範囲】
【請求項１】
ストレージに保存されているファイル又はディレクトリのファイル名又はディレクトリ名を取得する情報取得手段と、前記情報取得手段により取得されたファイル名又はディレクトリ名を表示する情報表示手段を備える情報処理装置であって、
ストレージに保存されているファイル又はディレクトリに係るアクセス権の有無を判断する権限判断手段を備え、前記情報表示手段は、前記情報取得手段により取得されたファイル名又はディレクトリ名の内、前記権限判断手段によりアクセス権が無いと判断されたファイル又はディレクトリのファイル名又はディレクトリ名については、ファイル名又はディレクトリ名の表示を制限することを特徴とする情報処理装置。
【請求項２】
前記情報表示手段は、前記情報取得手段により取得されたファイル名又はディレクトリ名を、ファイルパス又はディレクトリパスを表す樹形図と共に表示することを特徴とする請求項１に記載の情報処理装置。
【請求項３】
前記情報表示手段は、ディレクトリ名が配置されている前記樹形図のある末端から前記樹形図を展開する操作に応じて、その末端から前記樹形図を展開し、そのディレクトリ名に係るディレクトリ内に存在するファイル又はディレクトリのファイル名又はディレクトリ名を新たに表示することを特徴とする請求項２に記載の情報処理装置。
【請求項４】
ストレージに保存されているファイル又はディレクトリのファイル名又はディレクトリ名を取得する情報取得手段と、前記情報取得手段により取得されたファイル名又はディレクトリ名とそのファイルアイコン又はそのディレクトリアイコンを表示する情報表示手段を備える情報処理装置であって、
ストレージに保存されているファイル又はディレクトリに係るアクセス権の有無を判断する権限判断手段を備え、前記情報表示手段は、前記情報取得手段により取得されたファイル名又はディレクトリ名の内、前記権限判断手段によりアクセス権が無いと判断されたファイル又はディレクトリのファイル名又はディレクトリ名については、ファイル名又はディレクトリ名とそのファイルアイコン又はそのディレクトリアイコンの表示を制限することを特徴とする情報処理装置。
【請求項５】
前記情報表示手段は、前記情報取得手段により取得されたファイル名又はディレクトリ名とそのファイルアイコン又はそのディレクトリアイコンを、ファイルパス又はディレクトリパスを表す樹形図と共に表示することを特徴とする請求項４に記載の情報処理装置。
【請求項６】
前記情報表示手段は、ディレクトリ名とそのディレクトリアイコンが配置されている前記樹形図のある末端から前記樹形図を展開する操作に応じて、その末端から前記樹形図を展開し、そのディレクトリ名に係るディレクトリ内に存在するファイル又はディレクトリのファイル名又はディレクトリ名とそのファイルアイコン又はそのディレクトリアイコンを新たに表示することを特徴とする請求項５に記載の情報処理装置。
【請求項７】
前記権限判断手段は、前記樹形図の各末端のｎ階層（ｎは自然数）先まで、ストレージに保存されているファイルとディレクトリに係るアクセス権の有無を判断しておくことを特徴とする請求項２、３、５、又は６に記載の情報処理装置。
【請求項８】
前記権限判断手段は、当該情報処理装置を使用するユーザに係るアクセス権を判断対象として、ストレージに保存されているファイル又はディレクトリに係るアクセス権の有無を判断することを特徴とする請求項１乃至７のいずれか１項に記載の情報処理装置。
【請求項９】
当該情報処理装置は、画像形成装置のクライアント端末として機能する情報処理装置であることを特徴とする請求項１乃至８のいずれか１項に記載の情報処理装置。
【請求項１０】
当該情報処理装置は、ストレージ装置のクライアント端末として機能する情報処理装置であることを特徴とする請求項１乃至８のいずれか１項に記載の情報処理装置。
【請求項１１】
ストレージに保存されているファイル又はディレクトリのファイル名又はディレクトリ名を取得する情報取得段階と、前記情報取得段階にて取得されたファイル名又はディレクトリ名を表示する情報表示段階を備える情報処理方法であって、
ストレージに保存されているファイル又はディレクトリに係るアクセス権の有無を判断する権限判断段階を備え、前記情報表示段階では、前記情報取得段階にて取得されたファイル名又はディレクトリ名の内、前記権限判断段階にてアクセス権が無いと判断されたファイル又はディレクトリのファイル名又はディレクトリ名については、ファイル名又はディレクトリ名の表示を制限することを特徴とする情報処理方法。
【請求項１２】
ストレージに保存されているファイル又はディレクトリのファイル名又はディレクトリ名を取得する情報取得段階と、前記情報取得段階にて取得されたファイル名又はディレクトリ名とそのファイルアイコン又はそのディレクトリアイコンを表示する情報表示段階を備える情報処理方法であって、
ストレージに保存されているファイル又はディレクトリに係るアクセス権の有無を判断する権限判断段階を備え、前記情報表示段階では、前記情報取得段階にて取得されたファイル名又はディレクトリ名の内、前記権限判断段階にてアクセス権が無いと判断されたファイル又はディレクトリのファイル名又はディレクトリ名については、ファイル名又はディレクトリ名とそのファイルアイコン又はそのディレクトリアイコンの表示を制限することを特徴とする情報処理方法。
【請求項１３】
当該情報処理方法は、画像形成装置のクライアント端末として機能する情報処理装置により実行される情報処理方法であることを特徴とする請求項１１又は１２に記載の情報処理方法。
【請求項１４】
当該情報処理方法は、ストレージ装置のクライアント端末として機能する情報処理装置により実行される情報処理方法であることを特徴とする請求項１１又は１２に記載の情報処理方法。
【請求項１５】
請求項１１乃至１４のいずれか１項に記載の情報処理方法をコンピュータに実行させる情報処理プログラム。
【請求項１６】
請求項１１乃至１４のいずれか１項に記載の情報処理方法をコンピュータに実行させる情報処理プログラムが記録されたコンピュータ読取可能な記録媒体。
【請求項１７】
画像形成装置と、前記画像形成装置のクライアント端末として機能する情報処理装置により実行される情報処理方法であって、
前記画像形成装置が、ストレージに保存されているファイル又はディレクトリのファイル名又はディレクトリ名を前記情報処理装置に提供する情報提供段階と、前記情報処置装置が、前記情報提供段階にて提供されたファイル名又はディレクトリ名を表示する情報表示段階を備える情報処理方法であって、
前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名の表示を制限することを特徴とする情報処理方法。
【請求項１８】
画像形成装置と、前記画像形成装置のクライアント端末として機能する情報処理装置により実行される情報処理方法であって、
前記画像形成装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、
前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名とそのファイルアイコン又はそのディレクトリアイコンの表示を制限することを特徴とする情報処理方法。
【請求項１９】
ストレージ装置と、前記ストレージ装置のクライアント端末として機能する情報処理装置により実行される情報処理方法であって、
前記ストレージ装置が、ストレージに保存されているファイル又はディレクトリのファイル名又はディレクトリ名を前記情報処理装置に提供する情報提供段階と、前記情報処置装置が、前記情報提供段階にて提供されたファイル名又はディレクトリ名を表示する情報表示段階を備える情報処理方法であって、
前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名の表示を制限することを特徴とする情報処理方法。
【請求項２０】
ストレージ装置と、前記ストレージ装置のクライアント端末として機能する情報処理装置により実行される情報処理方法であって、
前記ストレージ装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、
前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名とそのファイルアイコン又はそのディレクトリアイコンの表示を制限することを特徴とする情報処理方法。
【請求項２１】
ストレージに保存されているファイル又はディレクトリのファイル名又はディレクトリ名を当該画像形成装置のクライアント端末に提供する情報提供手段を備える画像形成装置であって、
ストレージに保存されているファイル又はディレクトリに係るアクセス権の有無を判断する権限判断手段を備え、前記情報提供手段は、ストレージに保存されているファイル又はディレクトリのファイル名又はディレクトリ名の内、前記権限判断手段によりアクセス権が無いと判断されたファイル又はディレクトリのファイル名又はディレクトリ名については、ファイル名又はディレクトリ名の前記クライアント端末への提供を制限することを特徴とする画像形成装置。
【請求項２２】
前記権限判断手段は、前記クライアント端末を使用するユーザに係るアクセス権を判断対象として、ストレージに保存されているファイル又はディレクトリに係るアクセス権の有無を判断することを特徴とする請求項２１に記載の画像形成装置。
【請求項２３】
画像形成装置により実行される情報処理方法であって、
ストレージに保存されているファイル又はディレクトリのファイル名又はディレクトリ名を当該画像形成装置のクライアント端末に提供する情報提供段階を備える情報処理方法であって、
ストレージに保存されているファイル又はディレクトリに係るアクセス権の有無を判断する権限判断段階を備え、前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記クライアント端末への提供を制限することを特徴とする情報処理方法。
【請求項２４】
画像形成装置と、前記画像形成装置のクライアント端末として機能する情報処理装置により実行される情報処理方法であって、
前記画像形成装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名を表示する情報表示段階を備える情報処理方法であって、
前記画像形成装置が、ストレージに保存されているファイル又はディレクトリに係るアクセス権の有無を判断する権限判断段階を備え、前記画像形成装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限することを特徴とする情報処理方法。
【請求項２５】
画像形成装置と、前記画像形成装置のクライアント端末として機能する情報処理装置により実行される情報処理方法であって、
前記画像形成装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、
前記画像形成装置が、ストレージに保存されているファイル又はディレクトリに係るアクセス権の有無を判断する権限判断段階を備え、前記画像形成装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限することを特徴とする情報処理方法。
【請求項２６】
ストレージに保存されているファイル又はディレクトリのファイル名又はディレクトリ名を当該ストレージ装置のクライアント端末に提供する情報提供手段を備えるストレージ装置であって、
ストレージに保存されているファイル又はディレクトリに係るアクセス権の有無を判断する権限判断手段を備え、前記情報提供手段は、ストレージに保存されているファイル又はディレクトリのファイル名又はディレクトリ名の内、前記権限判断手段によりアクセス権が無いと判断されたファイル又はディレクトリのファイル名又はディレクトリ名については、ファイル名又はディレクトリ名の前記クライアント端末への提供を制限することを特徴とするストレージ装置。
【請求項２７】
前記権限判断手段は、前記クライアント端末を使用するユーザに係るアクセス権を判断対象として、ストレージに保存されているファイル又はディレクトリに係るアクセス権の有無を判断することを特徴とする請求項２６に記載のストレージ装置。
【請求項２８】
ストレージ装置により実行される情報処理方法であって、
ストレージに保存されているファイル又はディレクトリのファイル名又はディレクトリ名を当該ストレージ装置のクライアント端末に提供する情報提供段階を備える情報処理方法であって、
ストレージに保存されているファイル又はディレクトリに係るアクセス権の有無を判断する権限判断段階を備え、前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記クライアント端末への提供を制限することを特徴とする情報処理方法。
【請求項２９】
ストレージ装置と、前記ストレージ装置のクライアント端末として機能する情報処理装置により実行される情報処理方法であって、
前記ストレージ装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名を表示する情報表示段階を備える情報処理方法であって、
前記ストレージ装置が、ストレージに保存されているファイル又はディレクトリに係るアクセス権の有無を判断する権限判断段階を備え、前記ストレージ装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限することを特徴とする情報処理方法。
【請求項３０】
ストレージ装置と、前記ストレージ装置のクライアント端末として機能する情報処理装置により実行される情報処理方法であって、
前記ストレージ装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、
前記ストレージ装置が、ストレージに保存されているファイル又はディレクトリに係るアクセス権の有無を判断する権限判断段階を備え、前記ストレージ装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限することを特徴とする情報処理方法。
【発明の詳細な説明】
【技術分野】
【０００１】
本発明は、パーソナルコンピュータ等の情報処理装置、情報処理方法、情報処理プログラム、ＣＤ−ＲＯＭ等の記録媒体、スキャナ／プリンタ／コピー／ファクシミリ／複合機／融合機等の画像形成装置、ストレージ装置に関する。
【背景技術】
【０００２】
ＯＡ機器では、様々な形で文書処理（文書データ処理）が実行される。例えば、スキャナでは文書データが読取原稿から読み取られ、プリンタでは文書データが印刷用紙に印刷され、コピーでは文書データが読取原稿から読み取られて印刷用紙に印刷され、ファクシミリでは文書データが電話回線を介して授受される。プリンタにて印刷用紙に印刷される文書データは例えば、ワードプロセッサソフトや表計算ソフト等の文書アプリケーションソフトにより作成される。
【発明の開示】
【発明が解決しようとする課題】
【０００３】
近年、ＯＡ機器のネットワーク化が急速に進展している。このような事態に適切に対処するため、ＯＡ機器の統合インタフェースに関する標準仕様として「ＢＭＬｉｎｋＳ」が提唱されている。ＢＭＬｉｎｋＳでは、ＯＡ機器の検索方法（Ｄｉｓｃｏｖｅｒｙ）や、ＯＡ機器間で授受されるデータフォーマット（Ｄａｔａ  Ｆｏｒｍａｔ）や、ＯＡ機器の制御方法（Ｊｏｂ／Ｄｅｖｉｃｅ  Ｃｏｎｔｒｏｌ）等が標準化される。
【０００４】
ＢＭＬｉｎｋＳでは、ＯＡ機器の機能がオフィスサービスとしてモデル化される。ＯＡ機器のスキャン機能はスキャンサービス、ＯＡ機器のプリント機能はプリントサービス、ＯＡ機器のファックス入力機能はファックスインサービス、ＯＡ機器のファックス出力機能はファックスアウトサービス、ＯＡ機器のストレージ機能はストレージサービスとしてモデル化される。これにより通常、スキャナにはスキャンサービス、プリンタにはプリントサービス、コピーにはスキャンサービスとプリントサービス、ファクシミリにはファックスインサービスとファックスアウトサービス、ストレージ装置にはストレージサービスが存在することになる。スキャンサービスやプリントサービスに関しては、ｃｒｅａｔｅ＿ｊｏｂ（ジョブ生成要求）やｌｉｓｔ＿ｊｏｂｓ（ジョブ一覧要求）等のコマンドが規定されており、ストレージサービスに関しては、ｃｒｅａｔｅ＿ｆｉｌｅ（ファイル生成要求／データ保存要求）やｌｉｓｔ＿ｆｉｌｅｓ（ファイル一覧要求／データ一覧要求）やｒｅａｄ＿ｄａｔａ（データ読出要求）やｗｒｉｔｅ＿ｄａｔａ（データ書込要求）等のコマンドが規定されている。ＢＭＬｉｎｋＳでは、ネットワークプロトコルとしてＨＴＴＰ−ＳＯＡＰが使用される。
【０００５】
さて、ＢＭＬｉｎｋＳでＯＡ機器のストレージ機能を取り扱うことからも解るように、ＯＡ機器のクライアント端末から、ＯＡ機器内のストレージに保存されているファイルやディレクトリにアクセスする場合がある。この場合、クライアント端末を使用するユーザは、クライアント端末の画面上に表示されたファイル名やディレクトリ名をたよりに、ストレージに保存されているファイルやディレクトリへのアクセス操作を行うことになる。しかし、クライアント端末の画面上に表示されたファイル名やディレクトリ名の中には、当該ユーザにはアクセス権限が無いファイルやディレクトリのファイル名やディレクトリ名も存在する。アクセス権限が無いファイルやディレクトリにアクセスすると、図１や図２のようなアクセス拒否表示の下、アクセスが拒否されることになる。しかしこれでは、ユーザはファイルやディレクトリにアクセスしないと自分にアクセス権限が有るのか無いのかを認識できない、自分にアクセス権限が無いファイルやディレクトリのファイル名やディレクトリ名をユーザに認知されてしまう等の問題がある。
【０００６】
したがって、本発明は、ＯＡ機器内のストレージに保存されているファイルやディレクトリのファイル名やディレクトリ名をＯＡ機器のクライアント端末の画面上に表示する際の新たな表示態様を提案することを課題とする。
【課題を解決するための手段】
【０００７】
請求項１に記載の発明（情報処理装置）は、ストレージに保存されているファイル又はディレクトリのファイル名又はディレクトリ名を取得する情報取得手段と、前記情報取得手段により取得されたファイル名又はディレクトリ名を表示する情報表示手段を備える情報処理装置であって、ストレージに保存されているファイル又はディレクトリに係るアクセス権の有無を判断する権限判断手段を備え、前記情報表示手段は、前記情報取得手段により取得されたファイル名又はディレクトリ名の内、前記権限判断手段によりアクセス権が無いと判断されたファイル又はディレクトリのファイル名又はディレクトリ名については、ファイル名又はディレクトリ名の表示を制限する。
【０００８】
請求項２に記載の発明（情報処理装置）は、請求項１に記載の発明（情報処理装置）に関して、前記情報表示手段は、前記情報取得手段により取得されたファイル名又はディレクトリ名を、ファイルパス又はディレクトリパスを表す樹形図と共に表示する。
【０００９】
請求項３に記載の発明（情報処理装置）は、請求項２に記載の発明（情報処理装置）に関して、前記情報表示手段は、ディレクトリ名が配置されている前記樹形図のある末端から前記樹形図を展開する操作に応じて、その末端から前記樹形図を展開し、そのディレクトリ名に係るディレクトリ内に存在するファイル又はディレクトリのファイル名又はディレクトリ名を新たに表示する。
【００１０】
請求項４に記載の発明（情報処理装置）は、ストレージに保存されているファイル又はディレクトリのファイル名又はディレクトリ名を取得する情報取得手段と、前記情報取得手段により取得されたファイル名又はディレクトリ名とそのファイルアイコン又はそのディレクトリアイコンを表示する情報表示手段を備える情報処理装置であって、ストレージに保存されているファイル又はディレクトリに係るアクセス権の有無を判断する権限判断手段を備え、前記情報表示手段は、前記情報取得手段により取得されたファイル名又はディレクトリ名の内、前記権限判断手段によりアクセス権が無いと判断されたファイル又はディレクトリのファイル名又はディレクトリ名については、ファイル名又はディレクトリ名とそのファイルアイコン又はそのディレクトリアイコンの表示を制限する。
【００１１】
請求項５に記載の発明（情報処理装置）は、請求項４に記載の発明（情報処理装置）に関して、前記情報表示手段は、前記情報取得手段により取得されたファイル名又はディレクトリ名とそのファイルアイコン又はそのディレクトリアイコンを、ファイルパス又はディレクトリパスを表す樹形図と共に表示する。
【００１２】
請求項６に記載の発明（情報処理装置）は、請求項５に記載の発明（情報処理装置）に関して、前記情報表示手段は、ディレクトリ名とそのディレクトリアイコンが配置されている前記樹形図のある末端から前記樹形図を展開する操作に応じて、その末端から前記樹形図を展開し、そのディレクトリ名に係るディレクトリ内に存在するファイル又はディレクトリのファイル名又はディレクトリ名とそのファイルアイコン又はそのディレクトリアイコンを新たに表示する。
【００１３】
請求項７に記載の発明（情報処理装置）は、請求項２、３、５、又は６に記載の発明（情報処理装置）に関して、前記権限判断手段は、前記樹形図の各末端のｎ階層（ｎは自然数）先まで、ストレージに保存されているファイルとディレクトリに係るアクセス権の有無を判断しておく。
【００１４】
請求項８に記載の発明（情報処理装置）は、請求項１乃至７のいずれか１項に記載の発明（情報処理装置）に関して、前記権限判断手段は、当該情報処理装置を使用するユーザに係るアクセス権を判断対象として、ストレージに保存されているファイル又はディレクトリに係るアクセス権の有無を判断する。
【００１５】
請求項９に記載の発明（情報処理装置）は、請求項１乃至８のいずれか１項に記載の発明（情報処理装置）に関して、当該情報処理装置は、画像形成装置のクライアント端末として機能する情報処理装置である。
【００１６】
請求項１０に記載の発明（情報処理装置）は、請求項１乃至８のいずれか１項に記載の発明（情報処理装置）に関して、当該情報処理装置は、ストレージ装置のクライアント端末として機能する情報処理装置である。
【００１７】
請求項１１に記載の発明（情報処理方法）は、ストレージに保存されているファイル又はディレクトリのファイル名又はディレクトリ名を取得する情報取得段階と、前記情報取得段階にて取得されたファイル名又はディレクトリ名を表示する情報表示段階を備える情報処理方法であって、ストレージに保存されているファイル又はディレクトリに係るアクセス権の有無を判断する権限判断段階を備え、前記情報表示段階では、前記情報取得段階にて取得されたファイル名又はディレクトリ名の内、前記権限判断段階にてアクセス権が無いと判断されたファイル又はディレクトリのファイル名又はディレクトリ名については、ファイル名又はディレクトリ名の表示を制限する。
【００１８】
請求項１２に記載の発明（情報処理方法）は、ストレージに保存されているファイル又はディレクトリのファイル名又はディレクトリ名を取得する情報取得段階と、前記情報取得段階にて取得されたファイル名又はディレクトリ名とそのファイルアイコン又はそのディレクトリアイコンを表示する情報表示段階を備える情報処理方法であって、ストレージに保存されているファイル又はディレクトリに係るアクセス権の有無を判断する権限判断段階を備え、前記情報表示段階では、前記情報取得段階にて取得されたファイル名又はディレクトリ名の内、前記権限判断段階にてアクセス権が無いと判断されたファイル又はディレクトリのファイル名又はディレクトリ名については、ファイル名又はディレクトリ名とそのファイルアイコン又はそのディレクトリアイコンの表示を制限する。
【００１９】
請求項１３に記載の発明（情報処理方法）は、請求項１１又は１２に記載の発明（情報処理方法）に関して、当該情報処理方法は、画像形成装置のクライアント端末として機能する情報処理装置により実行される情報処理方法である。
【００２０】
請求項１４に記載の発明（情報処理方法）は、請求項１１又は１２に記載の発明（情報処理方法）に関して、当該情報処理方法は、ストレージ装置のクライアント端末として機能する情報処理装置により実行される情報処理方法である。
【００２１】
請求項１５に記載の発明（情報処理プログラム）は、請求項１１乃至１４のいずれか１項に記載の情報処理方法をコンピュータに実行させる情報処理プログラムである。
【００２２】
請求項１６に記載の発明（記録媒体）は、請求項１１乃至１４のいずれか１項に記載の情報処理方法をコンピュータに実行させる情報処理プログラムが記録されたコンピュータ読取可能な記録媒体である。
【００２３】
請求項１７に記載の発明（情報処理方法）は、画像形成装置と、前記画像形成装置のクライアント端末として機能する情報処理装置により実行される情報処理方法であって、前記画像形成装置が、ストレージに保存されているファイル又はディレクトリのファイル名又はディレクトリ名を前記情報処理装置に提供する情報提供段階と、前記情報処置装置が、前記情報提供段階にて提供されたファイル名又はディレクトリ名を表示する情報表示段階を備える情報処理方法であって、前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名の表示を制限する。
【００２４】
請求項１８に記載の発明（情報処理方法）は、画像形成装置と、前記画像形成装置のクライアント端末として機能する情報処理装置により実行される情報処理方法であって、前記画像形成装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名とそのファイルアイコン又はそのディレクトリアイコンの表示を制限する。
【００２５】
請求項１９に記載の発明（情報処理方法）は、ストレージ装置と、前記ストレージ装置のクライアント端末として機能する情報処理装置により実行される情報処理方法であって、前記ストレージ装置が、ストレージに保存されているファイル又はディレクトリのファイル名又はディレクトリ名を前記情報処理装置に提供する情報提供段階と、前記情報処置装置が、前記情報提供段階にて提供されたファイル名又はディレクトリ名を表示する情報表示段階を備える情報処理方法であって、前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名の表示を制限する。
【００２６】
請求項２０に記載の発明（情報処理方法）は、ストレージ装置と、前記ストレージ装置のクライアント端末として機能する情報処理装置により実行される情報処理方法であって、前記ストレージ装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、前記情報処理装置が、ストレージに保存されているファイル又はディレクトリに係るアクセス権の有無を判断する権限判断段階を備え、前記情報処理装置による前記情報表示段階では、前記情報提供段階にて提供されたファイル名又はディレクトリ名の内、前記権限判断段階にてアクセス権が無いと判断されたファイル又はディレクトリのファイル名又はディレクトリ名については、ファイル名又はディレクトリ名とそのファイルアイコン又はそのディレクトリアイコンの表示を制限する。
【００２７】
請求項２１に記載の発明（画像形成装置）は、ストレージに保存されているファイル又はディレクトリのファイル名又はディレクトリ名を当該画像形成装置のクライアント端末に提供する情報提供手段を備える画像形成装置であって、ストレージに保存されているファイル又はディレクトリに係るアクセス権の有無を判断する権限判断手段を備え、前記情報提供手段は、ストレージに保存されているファイル又はディレクトリのファイル名又はディレクトリ名の内、前記権限判断手段によりアクセス権が無いと判断されたファイル又はディレクトリのファイル名又はディレクトリ名については、ファイル名又はディレクトリ名の前記クライアント端末への提供を制限する。
【００２８】
請求項２２に記載の発明（画像形成装置）は、請求項２１に記載の発明（画像形成装置）に関して、前記権限判断手段は、前記クライアント端末を使用するユーザに係るアクセス権を判断対象として、ストレージに保存されているファイル又はディレクトリに係るアクセス権の有無を判断する。
【００２９】
請求項２３に記載の発明（情報処理方法）は、画像形成装置により実行される情報処理方法であって、ストレージに保存されているファイル又はディレクトリのファイル名又はディレクトリ名を当該画像形成装置のクライアント端末に提供する情報提供段階を備える情報処理方法であって、ストレージに保存されているファイル又はディレクトリに係るアクセス権の有無を判断する権限判断段階を備え、前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記クライアント端末への提供を制限する。
【００３０】
請求項２４に記載の発明（情報処理方法）は、画像形成装置と、前記画像形成装置のクライアント端末として機能する情報処理装置により実行される情報処理方法であって、前記画像形成装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名を表示する情報表示段階を備える情報処理方法であって、前記画像形成装置が、ストレージに保存されているファイル又はディレクトリに係るアクセス権の有無を判断する権限判断段階を備え、前記画像形成装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限する。
【００３１】
請求項２５に記載の発明（情報処理方法）は、画像形成装置と、前記画像形成装置のクライアント端末として機能する情報処理装置により実行される情報処理方法であって、前記画像形成装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、前記画像形成装置が、ストレージに保存されているファイル又はディレクトリに係るアクセス権の有無を判断する権限判断段階を備え、前記画像形成装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限する。
【００３２】
請求項２６に記載の発明（ストレージ装置）は、ストレージに保存されているファイル又はディレクトリのファイル名又はディレクトリ名を当該ストレージ装置のクライアント端末に提供する情報提供手段を備えるストレージ装置であって、ストレージに保存されているファイル又はディレクトリに係るアクセス権の有無を判断する権限判断手段を備え、前記情報提供手段は、ストレージに保存されているファイル又はディレクトリのファイル名又はディレクトリ名の内、前記権限判断手段によりアクセス権が無いと判断されたファイル又はディレクトリのファイル名又はディレクトリ名については、ファイル名又はディレクトリ名の前記クライアント端末への提供を制限する。
【００３３】
請求項２７に記載の発明（ストレージ装置）は、請求項２６に記載の発明（ストレージ装置）に関して、前記権限判断手段は、前記クライアント端末を使用するユーザに係るアクセス権を判断対象として、ストレージに保存されているファイル又はディレクトリに係るアクセス権の有無を判断する。
【００３４】
請求項２８に記載の発明（情報処理方法）は、ストレージ装置により実行される情報処理方法であって、ストレージに保存されているファイル又はディレクトリのファイル名又はディレクトリ名を当該ストレージ装置のクライアント端末に提供する情報提供段階を備える情報処理方法であって、ストレージに保存されているファイル又はディレクトリに係るアクセス権の有無を判断する権限判断段階を備え、前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記クライアント端末への提供を制限する。
【００３５】
請求項２９に記載の発明（情報処理方法）は、ストレージ装置と、前記ストレージ装置のクライアント端末として機能する情報処理装置により実行される情報処理方法であって、前記ストレージ装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名を表示する情報表示段階を備える情報処理方法であって、前記ストレージ装置が、ストレージに保存されているファイル又はディレクトリに係るアクセス権の有無を判断する権限判断段階を備え、前記ストレージ装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限する。
【００３６】
請求項３０に記載の発明（情報処理方法）は、ストレージ装置と、前記ストレージ装置のクライアント端末として機能する情報処理装置により実行される情報処理方法であって、前記ストレージ装置が、ストレージに保存されているファイル又はディレクトリのファイル名又はディレクトリ名を前記情報処理装置に提供する情報提供段階と、前記情報処理装置が、前記情報提供段階にて提供されたファイル名又はディレクトリ名とそのファイルアイコン又はそのディレクトリアイコンを表示する情報表示段階を備える情報処理方法であって、前記ストレージ装置が、ストレージに保存されているファイル又はディレクトリに係るアクセス権の有無を判断する権限判断段階を備え、前記ストレージ装置による前記情報提供段階では、ストレージに保存されているファイル又はディレクトリのファイル名又はディレクトリ名の内、前記権限判断段階にてアクセス権が無いと判断されたファイル又はディレクトリのファイル名又はディレクトリ名については、ファイル名又はディレクトリ名の前記情報処理装置への提供を制限する。
【００３７】
請求項１に記載の発明（情報処理装置）では、取得されたファイル名等の内、アクセス権が無いと判断されたファイル等のファイル名等については、ファイル名等が表示されない等、ファイル名等の表示が制限されるため、ファイル名等の表示が制限されてないことで、ユーザは自分にアクセス権が有ることを認識できるようになり、ファイル名等の表示が制限されることで、自分にアクセス権が無いファイル等のファイル名等をユーザに認知されないで済むようになる。
【００３８】
請求項２に記載の発明（情報処理装置）では、取得されたファイル名等の内、アクセス権が無いと判断されたファイル等のファイル名等については、ファイル名等の樹形図表示画面にてファイル名等が表示されない等、ファイル名等の樹形図表示画面にてファイル名等の表示が制限されるため、ファイル名等の表示が制限されてないことで、ユーザは自分にアクセス権が有ることを認識できるようになり、ファイル名等の表示が制限されることで、自分にアクセス権が無いファイル等のファイル名等をユーザに認知されないで済むようになる。
【００３９】
請求項３に記載の発明（情報処理装置）では、取得されたファイル名等の内、アクセス権が無いと判断されたファイル等のファイル名等については、ファイル名等の樹形図表示を伴う操作画面にてファイル名等が表示されない等、ファイル名等の樹形図表示を伴う操作画面にてファイル名等の表示が制限されるため、ファイル名等の表示が制限されてないことで、ユーザは自分にアクセス権が有ることを認識できるようになり、ファイル名等の表示が制限されることで、自分にアクセス権が無いファイル等のファイル名等をユーザに認知されないで済むようになる。
【００４０】
請求項４に記載の発明（情報処理装置）では、取得されたファイル名等の内、アクセス権が無いと判断されたファイル等のファイル名等については、ファイル名等とそのファイルアイコン等が表示されない等、ファイル名等とそのファイルアイコン等の表示が制限されるため、ファイル名等とそのファイルアイコン等の表示が制限されてないことで、ユーザは自分にアクセス権が有ることを認識できるようになり、ファイル名等とそのファイルアイコン等の表示が制限されることで、自分にアクセス権が無いファイル等のファイル名等をユーザに認知されないで済むようになる。
【００４１】
請求項５に記載の発明（情報処理装置）では、取得されたファイル名等の内、アクセス権が無いと判断されたファイル等のファイル名等については、ファイル名等とそのファイルアイコン等の樹形図表示画面にてファイル名等とそのファイルアイコン等が表示されない等、ファイル名等とそのファイルアイコン等の樹形図表示画面にてファイル名等とそのファイルアイコン等の表示が制限されるため、ファイル名等とそのファイルアイコン等の表示が制限されてないことで、ユーザは自分にアクセス権が有ることを認識できるようになり、ファイル名等とそのファイルアイコン等の表示が制限されることで、自分にアクセス権が無いファイル等のファイル名等をユーザに認知されないで済むようになる。
【００４２】
請求項６に記載の発明（情報処理装置）では、取得されたファイル名等の内、アクセス権が無いと判断されたファイル等のファイル名等については、ファイル名等とそのファイルアイコン等の樹形図表示を伴う操作画面にてファイル名等とそのファイルアイコン等が表示されない等、ファイル名等とそのファイルアイコン等の樹形図表示を伴う操作画面にてファイル名等とそのファイルアイコン等の表示が制限されるため、ファイル名等とそのファイルアイコン等の表示が制限されてないことで、ユーザは自分にアクセス権が有ることを認識できるようになり、ファイル名等とそのファイルアイコン等の表示が制限されることで、自分にアクセス権が無いファイル等のファイル名等をユーザに認知されないで済むようになる。
【００４３】
請求項７に記載の発明（情報処理装置）では、樹形図の各末端のｎ階層（ｎは自然数）先までアクセス権の有無を判断しておくため、樹形図が展開される場合に樹形図が迅速に展開されるようになる。
【００４４】
請求項１１に記載の発明（情報処理方法）では、取得されたファイル名等の内、アクセス権が無いと判断されたファイル等のファイル名等については、ファイル名等が表示されない等、ファイル名等の表示が制限されるため、ファイル名等の表示が制限されてないことで、ユーザは自分にアクセス権が有ることを認識できるようになり、ファイル名等の表示が制限されることで、自分にアクセス権が無いファイル等のファイル名等をユーザに認知されないで済むようになる。
【００４５】
請求項１２に記載の発明（情報処理方法）では、取得されたファイル名等の内、アクセス権が無いと判断されたファイル等のファイル名等については、ファイル名等とそのファイルアイコン等が表示されない等、ファイル名等とそのファイルアイコン等の表示が制限されるため、ファイル名等とそのファイルアイコン等の表示が制限されてないことで、ユーザは自分にアクセス権が有ることを認識できるようになり、ファイル名等とそのファイルアイコン等の表示が制限されることで、自分にアクセス権が無いファイル等のファイル名等をユーザに認知されないで済むようになる。
【００４６】
請求項２１に記載の発明（画像形成装置）では、ストレージに保存されているファイル等のファイル名等の内、アクセス権が無いと判断されたファイル等のファイル名等については、ファイル名等がクライアント端末に提供されない等、ファイル名等のクライアント端末への提供が制限されるため、ファイル名等の提供が制限されてないことで、ユーザは自分にアクセス権が有ることを認識できるようになり、ファイル名等の提供が制限されることで、自分にアクセス権が無いファイル等のファイル名等をユーザに認知されないで済むようになる。
【００４７】
請求項２３に記載の発明（情報処理方法）では、ストレージに保存されているファイル等のファイル名等の内、アクセス権が無いと判断されたファイル等のファイル名等については、ファイル名等がクライアント端末に提供されない等、ファイル名等のクライアント端末への提供が制限されるため、ファイル名等の提供が制限されてないことで、ユーザは自分にアクセス権が有ることを認識できるようになり、ファイル名等の提供が制限されることで、自分にアクセス権が無いファイル等のファイル名等をユーザに認知されないで済むようになる。
【００４８】
請求項２６に記載の発明（ストレージ装置）では、ストレージに保存されているファイル等のファイル名等の内、アクセス権が無いと判断されたファイル等のファイル名等については、ファイル名等がクライアント端末に提供されない等、ファイル名等のクライアント端末への提供が制限されるため、ファイル名等の提供が制限されてないことで、ユーザは自分にアクセス権が有ることを認識できるようになり、ファイル名等の提供が制限されることで、自分にアクセス権が無いファイル等のファイル名等をユーザに認知されないで済むようになる。
【００４９】
請求項２８に記載の発明（情報処理方法）では、ストレージに保存されているファイル等のファイル名等の内、アクセス権が無いと判断されたファイル等のファイル名等については、ファイル名等がクライアント端末に提供されない等、ファイル名等のクライアント端末への提供が制限されるため、ファイル名等の提供が制限されてないことで、ユーザは自分にアクセス権が有ることを認識できるようになり、ファイル名等の提供が制限されることで、自分にアクセス権が無いファイル等のファイル名等をユーザに認知されないで済むようになる。
【発明の効果】
【００５０】
このように、本発明は、ＯＡ機器内のストレージに保存されているファイルやディレクトリのファイル名やディレクトリ名をＯＡ機器のクライアント端末の画面上に表示する際の新たな表示態様を提案するものである。
【発明を実施するための最良の形態】
【００５１】
図３は、ＯＡ機器が接続されたネットワークに係る機器配置図である。図３では、融合機１０１（融合機１０１Ａ，融合機１０１Ｂ）とストレージ装置１０２（ストレージ装置１０２Ａ，ストレージ装置１０２Ｂ）とＰＣ（パーソナルコンピュータ）１０３と認証サーバ１０４が、イーサネット（登録商標）等のネットワーク１０５により相互接続されている。融合機１０１は、スキャナやプリンタやコピーやファクシミリとして機能する画像形成装置である。ＰＣ（パーソナルコンピュータ）１０３は、融合機１０１やストレージ装置１０２のクライアント端末として機能する情報処理装置である。
【００５２】
図３のＯＡ機器はそれぞれ、ＢＭＬｉｎｋＳに準拠したＯＡ機器である。融合機１０１Ａにはスキャンサービス１１Ａやプリントサービス１２Ａやストレージサービス１３Ａ、融合機１０１Ｂにはスキャンサービス１１Ｂやプリントサービス１２Ｂやストレージサービス１３Ｂが存在する。ストレージ装置１０２Ａにはストレージサービス１３Ｃ、ストレージ装置１０２Ｂにはストレージサービス１３Ｄが存在する。ＰＣ１０３には、スキャナドライバ１４やプリンタドライバ１５やストレージドライバ１６等のＢＭＬｉｎｋＳドライバがインストールされている。
【００５３】
図４は、図３の融合機１０１に係る機能ブロック図である。図３の融合機１０１には、スキャン処理部２１、プリント処理部２２、データ管理部２３、検索応答部２４、ジョブ制御部２５、ファイル制御部２６、ファイル情報提供部２７、ネットワーク制御部２８等の機能ブロックが存在する。
【００５４】
スキャン処理部２１は、機器を制御してスキャン処理を実行する機能ブロックである。プリント処理部２２は、機器を制御してプリント処理を実行する機能ブロックである。データ管理部２３は、機器内のストレージ２０を制御してデータ管理を実行する機能ブロックである。検索応答部２４は、スキャナ検索要求やプリンタ検索要求やストレージ検索に応答するスキャナ検索応答やプリンタ検索応答やストレージ検索応答を発行する機能ブロックである。ジョブ制御部２５は、スキャン処理やプリント処理に係るジョブ生成やジョブキャンセルを実行する機能ブロックである。ファイル制御部２６は、ファイル生成やデータ読出やデータ書込を実行する機能ブロックである。ファイル情報提供部２７は、機器内のストレージ２０に保存されているファイルやディレクトリに係る情報をクライアント端末に提供する機能ブロックである。
【００５５】
ネットワーク制御部２８は、通信制御を行う機能ブロックであり、図４のように、ＢＭＬｉｎｋＳの他、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等の種々のネットワークプロトコルをサポートする。
【００５６】
図５は、図３のストレージ装置１０２に係る機能ブロック図である。図３のストレージ装置１０２には、データ管理部３１、検索応答部３２、ファイル制御部３３、ファイル情報提供部３４、ネットワーク制御部３５等の機能ブロックが存在する。
【００５７】
データ管理部３１は、機器内のストレージ３０を制御してデータ管理を実行する機能ブロックである。検索応答部３２は、ストレージ検索に応答するストレージ検索応答を発行する機能ブロックである。ファイル制御部３３は、ファイル生成やデータ読出やデータ書込を実行する機能ブロックである。ファイル情報提供部３４は、機器内のストレージ３０に保存されているファイルやディレクトリに係る情報をクライアント端末に提供する機能ブロックである。
【００５８】
ネットワーク制御部３５は、通信制御を行う機能ブロックであり、図５のように、ＢＭＬｉｎｋＳの他、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等の種々のネットワークプロトコルをサポートする。
【００５９】
図６は、図３のＰＣ１０３に係る機能ブロック図である。図３のＰＣ１０３には、ＵＩ処理部４１、検索部４２、ジョブ制御要求部４３、ファイル制御要求部４４、ファイル情報取得部４５、ファイル情報表示部４６、アクセス権限判断部４７、ネットワーク制御部４８等の機能ブロックが存在する。
【００６０】
ＵＩ処理部４１は、機器を制御してＵＩ（ユーザインタフェース）処理を実行する機能ブロックである。検索部４２は、スキャナ検索要求やプリンタ検索要求やストレージ検索要求を発行（マルチキャスト）してスキャナ検索やプリンタ検索やストレージ検索を実行する機能ブロックである。ジョブ制御要求部４３は、スキャン処理やプリント処理に係るジョブ生成要求やジョブキャンセル要求を発行する機能ブロックである。ファイル制御要求部４４は、ファイル生成要求やデータ読出要求やデータ書込要求を発行する機能ブロックである。ファイル情報取得部４５は、ＯＡ機器内のストレージに保存されているファイルやディレクトリに係る情報をＯＡ機器から取得する機能ブロックである。ファイル情報表示部４６は、ＯＡ機器内のストレージに保存されているファイルやディレクトリに係る情報の表示処理を行う機能ブロックである。アクセス権限判断部４７は、ＯＡ機器内のストレージに保存されているファイルやディレクトリに係るアクセス権限の有無の判断処理を行う機能ブロックである。
【００６１】
ネットワーク制御部４８は、通信制御を行う機能ブロックであり、図６のように、ＢＭＬｉｎｋＳの他、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等の種々のネットワークプロトコルをサポートする。
【００６２】
（融合機）
図３の融合機１０１について詳細に説明する。
【００６３】
図７は、図３の融合機１０１に係るソフトウェア等構成図である。図３の融合機１０１は、種々のハードウェア１１１と、種々のソフトウェア１１２と、融合機起動部１１３により構成される。図３の融合機１０１は、コピーやプリンタやスキャナやファクシミリとして機能することができる。
【００６４】
融合機１０１のハードウェア１１１としては、撮像部１２１と、印刷部１２２と、その他のハードウェア１２３が存在する。
【００６５】
撮像部１２１は、原稿から画像（画像データ。文書データとも呼ぶ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００６６】
印刷部１２２は、画像（画像データ。文書データとも呼ぶ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式が採用されており、感光体、帯電機、露光機、現像機、転写機、定着機等を備える。印刷部１２２は、印刷用紙等に関する機構として、給紙部、排紙部、印刷用紙等搬送機構等を備える。
【００６７】
その他のハードウェア１２３については、図８において説明する。
【００６８】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。ＯＳはここでは、図７のように、ＴＣＰ／ＩＰと、ＵＤＰ／ＩＰと、ＳＰＸ／ＩＰＸと、ＮｅｔＢＥＵＩと、ＡｐｐｌｅＴａｌｋ等のネットワークプロトコルをサポートする。
【００６９】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５と、リモートＦＡＸ用のアプリケーションであるリモートＦＡＸアプリ１４６と、ＢＭＬｉｎｋＳ用のアプリケーションであるＢＭＬｉｎｋＳアプリ１４７が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。ＢＭＬｉｎｋＳアプリ１４７は、ＢＭＬｉｎｋＳに準拠したＯＡ機器用のドライバ（ＢＭＬｉｎｋＳドライバ）である。
【００７０】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００７１】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。ネットワークコントロールサービス（ＮＣＳ）１６１には、図７のように、ＨＴＴＰｄやＳＳＤＰｄやＢＭＬｉｎｋＳｄ等のデーモンが存在する。
【００７２】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００７３】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００７４】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００７５】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００７６】
図８は、図３の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図７の「その他のハードウェア１２３」に該当する。
【００７７】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００７８】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００７９】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００８０】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００８１】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００８２】
図９は、図３の融合機１０１に係る外観図である。図９には、撮像部１２１の位置と、印刷部１２２の位置と、オペレーションパネル２０２の位置が図示されている。図９にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００８３】
オペレーションパネル２０２は、図１０のように、タッチパネル３１１と、テンキー３１２と、スタートボタン３１３と、リセットボタン３１４と、初期設定ボタン３１５により構成される。
【００８４】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。初期設定ボタン３１５は、ボタン操作で初期設定画面を表示させるためのハードウェアである。
【００８５】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００８６】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００８７】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図９の矢印のような経路で複数枚の原稿を１枚ずつ搬送し、撮像部１２１が、図９の矢印のような経路で１枚ずつ搬送される原稿から画像を読み取る。
【００８８】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００８９】
（文書処理）
以上の説明を踏まえて、図３の文書処理システムにおいて実行される文書処理について説明する。
【００９０】
融合機１０１内のストレージ２０（図４参照）やストレージ装置１０２内のストレージ３０（図５参照）には、様々なファイルやディレクトリ（フォルダ）が保存されている。その中には、ＰＣ１０３の設定ユーザ「ｕｓｅｒ０１」にアクセス権限が有るファイルやディレクトリも存在すれば、ＰＣ１０３の設定ユーザ「ｕｓｅｒ０１」にアクセス権限が無いファイルやディレクトリも存在する。以下、ストレージ２０，３０に保存されているファイルやディレクトリにＰＣ１０３からアクセスする場合について説明する。ＰＣ１０３を使用するユーザ（設定ユーザ「ｕｓｅｒ０１」に該当する人物）は、ＰＣ１０３の画面上に表示されたファイル名やディレクトリ名をたよりに、ストレージ２０，３０に保存されているファイルやディレクトリへのアクセス操作を行うことになる。
【００９１】
図１１Ａは、ＰＣ１０３の画面上に表示されるファイル検索画面を表す。領域１１−１は、ファイル検索の開始操作やファイル検索条件の設定操作を行うための領域である。領域１１−２は、検索されたファイルのファイル名とそのファイルアイコンが表示される領域である。領域１１−３と領域１１−４は、検索されたファイルの詳細が表示される領域である。領域１１−５は、検索されたファイルの保存操作や印刷操作やＦＡＸ送信操作を行うための領域である。領域１１−６は、ディレクトリ名とそのディレクトリアイコンがディレクトリパスを表す樹形図４０１と共に表示される領域である。
【００９２】
領域１１−３について説明する。領域１１−３には、検索されたファイルのファイル名の内、ＰＣ１０３を使用するユーザにアクセス権限が有るファイルのファイル名については、ファイル名とそのファイルアイコンが表示され、ＰＣ１０３を使用するユーザにアクセス権限が無いファイルのファイル名については、ファイル名とそのファイルアイコンが表示されない。すなわち、ファイル名「ｆａｍｉｌｙ．ｊｐｇ」や「ＭｔＦｕｊｉ．ｊｐｇ」や「ｓｕｎｆｌｏｗｅｒ．ｊｐｇ」は、ＰＣ１０３を使用するユーザにアクセス権限が有るファイルのファイル名である。これにより、自分にアクセス権限が無いファイルのファイル名をユーザに認知されないで済むのである。
【００９３】
領域１１−６について説明する。領域１１−６には、融合機１０１やストレージ装置１０２から取得されたディレクトリ名の内、ＰＣ１０３を使用するユーザにアクセス権限が有るディレクトリのディレクトリ名については、ディレクトリ名とそのディレクトリアイコンが表示され、ＰＣ１０３を使用するユーザにアクセス権限が無いディレクトリのディレクトリ名については、ディレクトリ名とそのディレクトリアイコンが表示されない。すなわち、ディレクトリ名「ｄｏｃ」や「ｉｍａｇｅ」や「ｂｉｒｄ」や「ｆｌｏｗｅｒ」は、ＰＣ１０３を使用するユーザにアクセス権限が有るディレクトリのディレクトリ名である。これにより、自分にアクセス権限が無いファイルのファイル名をユーザに認知されないで済むのである。
【００９４】
仮にアクセス権限の有無に関係なくディレクトリ名とそのディレクトリアイコンを表示すると図１１Ｂのようになるところ、本実施例では図１１Ｃのようになる。すなわち、ディレクトリ名「ｍｙｈｔｍｌ」や「ｐｒｉｖａｔｅ＿ｐｈｏｔｏ」は、ＰＣ１０３を使用するユーザにアクセス権限が無いディレクトリのディレクトリ名である。
【００９５】
なお、領域１１−６には、ディレクトリ名とそのディレクトリアイコンがディレクトリパスを表す樹形図４０１と共に表示されるだけではなく、ファイル名とそのファイルアイコンがファイルパスを表す樹形図４０１と共に表示されるようにしてもよい。その場合にもまた、ＰＣ１０３を使用するユーザにアクセス権限が有るファイルのファイル名については、ファイル名とそのファイルアイコンが表示され、ＰＣ１０３を使用するユーザにアクセス権限が無いファイルのファイル名については、ファイル名とそのファイルアイコンが表示されないようにする。
【００９６】
図１２Ａは、ＰＣ１０３の画面上に表示されるファイル保存画面を表す。領域１２−１は、保存されるファイルのファイル名とそのファイルアイコンが表示される領域である。領域１２−２は、ディレクトリ名とそのディレクトリアイコンがディレクトリパスを表す樹形図４０１と共に表示される領域であり、保存先となるディレクトリの指定操作を行うための領域である。領域１２−３は、保存先となるディレクトリ内に存在するファイルのファイル名とそのファイルアイコンが表示される領域である。
【００９７】
領域１２−３について説明する。領域１２−３には、保存先となるディレクトリ内に存在するファイルのファイル名の内、ＰＣ１０３を使用するユーザにアクセス権限が有るファイルのファイル名については、ファイル名とそのファイルアイコンが表示され、ＰＣ１０３を使用するユーザにアクセス権限が無いファイルのファイル名については、ファイル名とそのファイルアイコンが表示されない。すなわち、ファイル名「ｍｏｏｎ．ｊｐｇ」や「ｓｈｉｐ．ｐｎｇ」や「ｔｉｔｌｅ＿ｌｏｇｏ．ｇｉｆ」は、ＰＣ１０３を使用するユーザにアクセス権限が有るファイルのファイル名である。これにより、自分にアクセス権限が無いファイルのファイル名をユーザに認知されないで済むのである。
【００９８】
領域１２−２について説明する。領域１２−２には、融合機１０１やストレージ装置１０２から取得されたディレクトリ名の内、ＰＣ１０３を使用するユーザにアクセス権限が有るディレクトリのディレクトリ名については、ディレクトリ名とそのディレクトリアイコンが表示され、ＰＣ１０３を使用するユーザにアクセス権限が無いディレクトリのディレクトリ名については、ディレクトリ名とそのディレクトリアイコンが表示されない。すなわち、ディレクトリ名「ｄｏｃ」や「ｉｍａｇｅ」や「ｂｉｒｄ」や「ｆｌｏｗｅｒ」は、ＰＣ１０３を使用するユーザにアクセス権限が有るディレクトリのディレクトリ名である。これにより、自分にアクセス権限が無いファイルのファイル名をユーザに認知されないで済むのである。
【００９９】
仮にアクセス権限の有無に関係なくディレクトリ名とそのディレクトリアイコンを表示すると図１２Ｂのようになるところ、本実施例では図１２Ｃのようになる。すなわち、ディレクトリ名「ｍｙｈｔｍｌ」や「ｐｒｉｖａｔｅ＿ｐｈｏｔｏ」は、ＰＣ１０３を使用するユーザにアクセス権限が無いディレクトリのディレクトリ名である。
【０１００】
図１２Ｂ１や図１２Ｃ１にて、ディレクトリ（機器）名「ｃｏｐｙ＿ｍａｃｈｉｎｅ＿０１」とそのディレクトリアイコンが配置されている樹形図４０１の末端Ｐにある樹形図展開ボタン４０２Ｐがクリックされると、その末端Ｐから樹形図４０１が展開され、図１２Ｂ２や図１２Ｃ２のように、ディレクトリ（機器）名「ｃｏｐｙ＿ｍａｃｈｉｎｅ＿０１」に係るディレクトリ（機器）内に存在するディレクトリのディレクトリ名とそのディレクトリアイコンが新たに表示される。
【０１０１】
図１２Ｂ２や図１２Ｃ２にて、ディレクトリ名「ｉｍａｇｅ」とそのディレクトリアイコンが配置されている樹形図４０１の末端Ｑにある樹形図展開ボタン４０２Ｑがクリックされると、その末端Ｑから樹形図４０１が展開され、図１２Ｂ３や図１２Ｃ３のように、ディレクトリ名「ｉｍａｇｅ」に係るディレクトリ内に存在するディレクトリのディレクトリ名とそのディレクトリアイコンが新たに表示される。
【０１０２】
図１２Ｂ３や図１２Ｃ３にて、ディレクトリ名「ｄｏｃ」とそのディレクトリアイコンが配置されている樹形図４０１の末端Ｒにある樹形図展開ボタン４０２Ｒがクリックされると、その末端Ｒから樹形図４０１が展開され、ディレクトリ名「ｄｏｃ」に係るディレクトリ内に存在するディレクトリのディレクトリ名とそのディレクトリアイコンが新たに表示されることになる。
【０１０３】
詳細は後述するように、アクセス権限の有無の判断処理はＰＣ１０３内のアクセス権限判断部４７（図６参照）で実行される。アクセス権限判断部４７は、表示されている樹形図５０１の各末端の１階層先まで、アクセス権限の有無を判断しておくものとする。すなわち、図１２Ｃ１の樹形図４０１が表示されている時点で、樹形図４０１の各末端Ｐの１階層先、すなわち、ディレクトリ「ｃｏｐｙ＿ｍａｃｈｉｎｅ＿０１」内や「ｓｔｏｒａｇｅ＿ｍａｃｈｉｎｅ＿０１」内のファイルやディレクトリ（ｄｏｃやｉｍａｇｅ等）に係るアクセス権限の有無を判断しておく。図１２Ｃ２の樹形図４０１が表示されている時点で、樹形図４０１の各末端Ｑの１階層先、すなわち、ディレクトリ「ｄｏｃ」内や「ｉｍａｇｅ」内のファイルやディレクトリ（ｂｉｒｄやｆｌｏｗｅｒ等）に係るアクセス権限の有無を判断しておく。図１２Ｃ３の樹形図４０１が表示されている時点で、樹形図４０１の各末端Ｒの１階層先、すなわち、ディレクトリ「ｂｉｒｄ」内や「ｆｌｏｗｅｒ」内のファイルに係るアクセス権限の有無を判断しておく。これにより、樹形図展開ボタン４０２のクリック操作に応じて樹形図４０１が迅速に展開されるのである。なお、１階層先まで判断しておくだけでなく、２階層先まで判断しておくようにしてもよいし、３階層先まで判断しておくようにしてもよい。
【０１０４】
なお、領域１２−２には、ディレクトリ名とそのディレクトリアイコンがディレクトリパスを表す樹形図４０１と共に表示されるだけではなく、ファイル名とそのファイルアイコンがファイルパスを表す樹形図４０１と共に表示されるようにしてもよい。その場合にもまた、ＰＣ１０３を使用するユーザにアクセス権限が有るファイルのファイル名については、ファイル名とそのファイルアイコンが表示され、ＰＣ１０３を使用するユーザにアクセス権限が無いファイルのファイル名については、ファイル名とそのファイルアイコンが表示されないようにする。
【０１０５】
図１３は、図３のＰＣ１０３により実行される情報処理に係るフロー図である。ＰＣ１０３は、ストレージドライバ１６（図３参照）が起動（Ｓ１０１）すると、ＰＣ１０３の設定ユーザ「ｕｓｅｒ０１」の認証を認証サーバ１０４に要求（Ｓ１０２）する。ＰＣ１０３は、ＰＣ１０３の設定ユーザ「ｕｓｅｒ０１」の認証が許可（Ｓ１０３）されると、ストレージ検索を実行する旨の操作に応じて、ストレージ検索を実行（Ｓ１０４）する。これにより、図３の融合機１０１やストレージ装置１０２が検索される。
【０１０６】
ＰＣ１０３は続いて、様々な状況の下で、融合機１０１やストレージ装置１０２から、融合機１０１内のストレージ２０やストレージ装置１０２内のストレージ３０に保存されているファイルやディレクトリのファイル名やディレクトリ名を取得（Ｓ１０５）することになる。例えば、図１１のようにファイルの検索結果としてファイル名を取得したり、図１１や図１２のように樹形図４０１と共に表示するためにディレクトリ名を取得したりする。
【０１０７】
ＰＣ１０３は、ストレージ２０，３０に保存されているファイルやディレクトリのファイル名やディレクトリ名を取得すると、ファイルやディレクトリへのアクセス操作とは無関係に、ストレージ２０，３０に保存されているファイルやディレクトリへのアクセスを試行（Ｓ１０６）する。これに応じて、ＰＣ１０３の設定ユーザ「ｕｓｅｒ０１」にアクセス権限が無いファイルやディレクトリについては、アクセス拒否の応答が融合機１０１やストレージ装置１０２から提示されることになる。ＰＣ１０３はこれをもって、ストレージ２０，３０に保存されている各ファイルや各ディレクトリにつき、ＰＣ１０３の設定ユーザ「ｕｓｅｒ０１」にアクセス権限が有るのか無いのかを判断（Ｓ１０７）するのである。
【０１０８】
ＰＣ１０３は続いて、様々な状況の下で、融合機１０１やストレージ装置１０２から取得されたファイル名やディレクトリ名を、ＰＣ１０３の画面上に表示（Ｓ１０８）することになる。例えば、図１１のようにファイルの検索結果としてファイル名を表示したり、図１１や図１２のように樹形図４０１と共にディレクトリ名を表示したりする。ＰＣ１０３はこの際、取得されたファイル名やディレクトリ名の内、ＰＣ１０３の設定ユーザ「ｕｓｅｒ０１」にアクセス権限が有ると判断されたファイルやディレクトリのファイル名やディレクトリ名については、ファイル名やディレクトリ名を表示することにするが、ＰＣ１０３の設定ユーザ「ｕｓｅｒ０１」にアクセス権限が無いと判断されたファイルやディレクトリのファイル名やディレクトリ名については、ファイル名やディレクトリ名を表示しないことにする。これにより、図１１や図１２のような表示態様となるのである。
【０１０９】
なお、Ｓ１０４の処理は検索部４２（図６参照）により実行され、Ｓ１０５の処理はファイル情報取得部４５（図６参照）により実行され、Ｓ１０６の処理はアクセス権限判断部４７（図６参照）とファイル制御要求部４４（図６参照）により実行され、Ｓ１０７の処理はアクセス権限判断部４７（図６参照）により実行され、Ｓ１０８の処理はファイル情報表示部４６（図６参照）とＵＩ処理部４１（図６参照）により実行される。
【０１１０】
図１４は、図３の融合機１０１により実行される情報処理に係るフロー図である。融合機１０１は、電源投入により起動（Ｓ２０１）すると待ち受け状態（Ｓ２０２）になり、ＰＣ１０３からストレージ検索要求を受け付ける（Ｓ２０３）とＰＣ１０３の設定ユーザ「ｕｓｅｒ０１」の認証を認証サーバ１０４に要求（Ｓ２０４）する。融合機１０１は、ＰＣ１０３の設定ユーザ「ｕｓｅｒ０１」の認証が許可（Ｓ２０５）されると、ＰＣ１０３の設定ユーザ「ｕｓｅｒ０１」にストレージサービスを提供可能かどうかを判定（Ｓ２０６）する。融合機１０１は、ＰＣ１０３の設定ユーザ「ｕｓｅｒ０１」にストレージサービスを提供可能であると判定（Ｓ２０７）すると、ＰＣ１０３に対してストレージ検索応答を発行（Ｓ２０８）する。
【０１１１】
融合機１０１は続いて、様々な状況の下で、融合機１０１内のストレージ２０に保存されているファイルやディレクトリのファイル名やディレクトリ名をＰＣ１０３に提供（Ｓ２０９）することになる。ＰＣ１０３に提供されるファイル名は例えば、図１１のようにファイルの検索結果としてＰＣ１０３の画面上に表示される。ＰＣ１０３に提供されるディレクトリ名は例えば、図１１や図１２のように樹形図４０１と共にＰＣ１０３の画面上に表示される。
【０１１２】
なお、Ｓ２０３−Ｓ２０８の処理は検索応答部２４（図４参照）により実行され、Ｓ２０９の処理はファイル情報提供部２７（図４参照）により実行される。図１４のフロー図により説明した情報処理は、図３の融合機１０１で実行されるだけでなく、図３のストレージ装置１０２でも実行される。この場合、Ｓ２０３−Ｓ２０８の処理は検索応答部３２（図５参照）により実行され、Ｓ２０９の処理はファイル情報提供部３４（図５参照）により実行される。
【０１１３】
図１５は、図１３と図１４の情報処理に係るシーケンス図である。ストレージドライバ１６が起動（Ｓ３０１。Ｓ１０１に相当）すると、ＰＣ１０３から認証サーバ１０４に、設定ユーザ「ｕｓｅｒ０１」の認証が要求（Ｓ３０２。Ｓ１０２に相当）される。これに応じて、認証サーバ１０４からＰＣ１０３に、設定ユーザ「ｕｓｅｒ０１」の認証許可が通知（Ｓ３０３。Ｓ１０３に相当）されると、ＰＣ１０３から融合機１０１やストレージ装置１０２に、ストレージ検索要求がマルチキャスト（Ｓ３０４。Ｓ１０４やＳ２０３に相当）される。これに応じて、融合機１０１やストレージ装置１０２から認証サーバ１０４に、設定ユーザ「ｕｓｅｒ０１」の認証が要求（Ｓ３０５。Ｓ２０４に相当）される。これに応じて、認証サーバ１０４から融合機１０１やストレージ装置１０２に、設定ユーザ「ｕｓｅｒ０１」の認証許可が通知（Ｓ３０６。Ｓ２０５に相当）されると、融合機１０１やストレージ装置１０２により、設定ユーザ「ｕｓｅｒ０１」にストレージサービスを提供可能かどうかが判定（Ｓ３０７。Ｓ２０６に相当）される。融合機１０１やストレージ装置１０２により、設定ユーザ「ｕｓｅｒ０１」にストレージサービスを提供可能であると判定（Ｓ３０７。Ｓ２０７に相当）されると、融合機１０１やストレージ装置１０２からＰＣ１０３に、ストレージ検索応答が発行（Ｓ３０８。Ｓ２０８に相当）される。これに応じて、融合機１０１やストレージ装置１０２の機器名が、ＰＣ１０３の画面上に表示されることになる。
【０１１４】
図１６は、ファイル検索処理に係るシーケンス図である。図１１のファイル検索画面上で、ファイル検索条件の設定操作が入力（Ｓ４０１）されて、ファイル検索の開始操作が入力（Ｓ４０２）されると、ＰＣ１０３から融合機１０１やストレージ装置１０２に、ファイル検索要求が発行（Ｓ４０３）され、融合機１０１やストレージ装置１０２により、ファイル検索が実行（Ｓ４０４）され、融合機１０１やストレージ装置１０２からＰＣ１０３に、ファイル検索応答が発行（Ｓ４０５。Ｓ１０５やＳ２０９に相当）される。このようにして、融合機１０１やストレージ装置１０２からＰＣ１０３に、融合機１０１内のストレージ２０やストレージ装置１０２内のストレージ３０に保存されているファイルのファイル名その他のファイル情報が提供される。
【０１１５】
続いて、ＰＣ１０３は、検索されたファイルへのアクセスを試行（Ｓ４０６。Ｓ１０６に相当）する。ＰＣ１０３は、検索されたファイルへのアクセス結果（Ｓ４０７。Ｓ１０７に相当）をもって、検索されたファイルにつき、設定ユーザ「ｕｓｅｒ０１」にアクセス権限が有るのか無いのかを判断する。ＰＣ１０３は、検索されたファイルの内、設定ユーザ「ｕｓｅｒ０１」にアクセス権限が有ると判断されたファイルについては、そのファイル名をファイルの検索結果として表示（Ｓ４０８。Ｓ１０８に相当）して、設定ユーザ「ｕｓｅｒ０１」にアクセス権限が無いと判断されたファイルについては、そのファイル名その他のファイル情報を削除（Ｓ４０８）してしまう。
【０１１６】
図１７は、ディレクトリ参照処理に係るシーケンス図である。ＰＣ１０３から融合機１０１やストレージ装置１０２に、ディレクトリ参照が要求（Ｓ５０１）されると、融合機１０１やストレージ装置１０２により、ディレクトリ内に存在するファイルやディレクトリのファイル名やディレクトリ名その他のファイル情報やディレクトリ情報が読み出され（Ｓ５０２）て、融合機１０１やストレージ装置１０２からＰＣ１０３に、これらの情報が通知（Ｓ５０３。Ｓ１０５やＳ２０９に相当）される。
【０１１７】
続いて、ＰＣ１０３は、通知されたファイルやディレクトリへのアクセスを試行（Ｓ５０４。Ｓ１０６に相当）する。ＰＣ１０３は、通知されたファイルやディレクトリへのアクセス結果（Ｓ５０５。Ｓ１０７に相当）をもって、通知されたファイルやディレクトリにつき、設定ユーザ「ｕｓｅｒ０１」にアクセス権限が有るのか無いのかを判断する。ＰＣ１０３は、通知されたファイルやディレクトリの内、設定ユーザ「ｕｓｅｒ０１」にアクセス権限が有ると判断されたファイルやディレクトリについては、そのファイル名やそのディレクトリ名を表示（Ｓ５０６。Ｓ１０８に相当）し、設定ユーザ「ｕｓｅｒ０１」にアクセス権限が無いと判断されたファイルやディレクトリについては、そのファイル名やそのディレクトリ名その他のファイル情報やディレクトリ情報を削除（Ｓ５０６）してしまう。
【０１１８】
図４のＰＣ１０３は、本発明（情報処理装置）の実施例に該当して、図４のＰＣ１０３により実行される情報処理方法は、本発明の実施例に該当する。当該情報処理方法をコンピュータに実行させる情報処理プログラムは、本発明の実施例に該当して、当該情報処理方法をコンピュータに実行させる情報処理プログラムが記録されたＣＤ−ＲＯＭは、本発明の実施例に該当する。図３の文書処理システムにおいて実行される情報処理方法は、本発明の実施例に該当する。
【０１１９】
（文書処理の変形例）
以上、図３の文書処理システムにおいて実行される文書処理について説明してきたが、以下、その変形例について説明する。
【０１２０】
上記の文書処理では、アクセス権限の有無の判断処理はＰＣ１０３内で実行されたが、下記の文書処理では、アクセス権限の有無の判断処理が融合機１０１内やストレージ装置１０２内で実行される。これに伴い、図４，５，６の機能ブロック図はそれぞれ図１８，１９，２０の機能ブロック図に置き換えられる。
【０１２１】
図１８は、図３の融合機１０１に係る機能ブロック図（変形例）である。融合機１０１には、スキャン処理部２１、プリント処理部２２、データ管理部２３、検索応答部２４、ジョブ制御部２５、ファイル制御部２６、ファイル情報提供部２７、ネットワーク制御部２８の他、ユーザ管理部５１、アクセス権限判断部５２等の機能ブロックが存在する。
【０１２２】
機能ブロック２１−２８については図４と同様である。ユーザ管理部５１は、クライアント端末の設定ユーザに係る情報を管理する機能ブロックである。アクセス権限判断部５２は、機器内のストレージ２０に保存されているファイルやディレクトリに係るアクセス権限の有無の判断処理を行う機能ブロックである。
【０１２３】
図１９は、図３のストレージ装置１０２に係る機能ブロック図（変形例）である。ストレージ装置１０２には、データ管理部３１、検索応答部３２、ファイル制御部３３、ファイル情報提供部３４、ネットワーク制御部３５の他、ユーザ管理部６１、アクセス権限判断部６２等の機能ブロックが存在する。
【０１２４】
機能ブロック３１−３５については図５と同様である。ユーザ管理部６１は、クライアント端末の設定ユーザに係る情報を管理する機能ブロックである。アクセス権限判断部６２は、機器内のストレージ３０に保存されているファイルやディレクトリに係るアクセス権限の有無の判断処理を行う機能ブロックである。
【０１２５】
図２０は、図３のＰＣ１０３に係る機能ブロック図（変形例）である。ＰＣ１０３には、ＵＩ処理部４１、検索部４２、ジョブ制御要求部４３、ファイル制御要求部４４、ファイル情報取得部４５、ファイル情報表示部４６、ネットワーク制御部４８等の機能ブロックが存在する。アクセス権限判断部４７が存在しないのである。
【０１２６】
図２１は、図３のＰＣ１０３により実行される情報処理に係るフロー図（変形例）である。ＰＣ１０３は、ストレージドライバ１６（図３参照）が起動（Ｓ１０１）すると、ＰＣ１０３の設定ユーザ「ｕｓｅｒ０１」の認証を認証サーバ１０４に要求（Ｓ１０２）する。ＰＣ１０３は、ＰＣ１０３の設定ユーザ「ｕｓｅｒ０１」の認証が許可（Ｓ１０３）されると、ストレージ検索を実行する旨の操作に応じて、ストレージ検索を実行（Ｓ１０４）する。これにより、図３の融合機１０１やストレージ装置１０２が検索される。
【０１２７】
ＰＣ１０３は続いて、様々な状況の下で、融合機１０１やストレージ装置１０２から、融合機１０１内のストレージ２０やストレージ装置１０２内のストレージ３０に保存されているファイルやディレクトリのファイル名やディレクトリ名を取得（Ｓ１０５）することになる。例えば、図１１のようにファイルの検索結果としてファイル名を取得したり、図１１や図１２のように樹形図４０１と共に表示するためにディレクトリ名を取得したりする。
【０１２８】
ＰＣ１０３は続いて、様々な状況の下で、融合機１０１やストレージ装置１０２から取得されたファイル名やディレクトリ名を、ＰＣ１０３の画面上に表示（Ｓ１０８）することになる。例えば、図１１のようにファイルの検索結果としてファイル名を表示したり、図１１や図１２のように樹形図４０１と共にディレクトリ名を表示したりする。
【０１２９】
なお、Ｓ１０４の処理は検索部４２（図２０参照）により実行され、Ｓ１０５の処理はファイル情報取得部４５（図２０参照）により実行され、Ｓ１０８の処理はファイル情報表示部４６（図２０参照）とＵＩ処理部４１（図２０参照）により実行される。
【０１３０】
図２２は、図３の融合機１０１により実行される情報処理に係るフロー図（変形例）である。融合機１０１は、電源投入により起動（Ｓ２０１）すると待ち受け状態（Ｓ２０２）になり、ＰＣ１０３からストレージ検索要求を受け付ける（Ｓ２０３）とＰＣ１０３の設定ユーザ「ｕｓｅｒ０１」の認証を認証サーバ１０４に要求（Ｓ２０４）する。融合機１０１は、ＰＣ１０３の設定ユーザ「ｕｓｅｒ０１」の認証が許可（Ｓ２０５）されると、ＰＣ１０３の設定ユーザ「ｕｓｅｒ０１」にストレージサービスを提供可能かどうかを判定（Ｓ２０６）する。融合機１０１は、ＰＣ１０３の設定ユーザ「ｕｓｅｒ０１」にストレージサービスを提供可能であると判定（Ｓ２０７）すると、ＰＣ１０３に対してストレージ検索応答を発行（Ｓ２０８）する。
【０１３１】
融合機１０１は続いて、様々な状況の下で、融合機１０１内のストレージ２０に保存されているファイルやディレクトリのファイル名やディレクトリ名をＰＣ１０３に提供（Ｓ２０９）することになる。ＰＣ１０３に提供されるファイル名は例えば、図１１のようにファイルの検索結果としてＰＣ１０３の画面上に表示される。ＰＣ１０３に提供されるディレクトリ名は例えば、図１１や図１２のように樹形図４０１と共にＰＣ１０３の画面上に表示される。
【０１３２】
ただし、融合機１０１は、ストレージ２０に保存されているファイルやディレクトリのファイル名やディレクトリ名をＰＣ１０３に提供する前に、ストレージ２０に保存されているファイルやディレクトリへのアクセスを試行（Ｓ６０１）する。この際、アクセス主体はＰＣ１０３の設定ユーザ「ｕｓｅｒ０１」であるとの仮設定の下で、ストレージ２０に保存されているファイルやディレクトリへのアクセスが試行される。この際、ＰＣ１０３の設定ユーザ「ｕｓｅｒ０１」に係る情報が必要になるため、図２２のストレージ検索の過程で取得されたＰＣ１０３の設定ユーザ「ｕｓｅｒ０１」に係る情報を、ユーザ管理部５１（図１８参照）が管理しておくものとする。融合機１０１は、このアクセス結果をもって、ストレージ２０に保存されている各ファイルや各ディレクトリにつき、ＰＣ１０３の設定ユーザ「ｕｓｅｒ０１」にアクセス権限が有るのか無いのかを判断（Ｓ６０２）するのである。
【０１３３】
そして、融合機１０１は、ストレージ２０に保存されているファイルやディレクトリのファイル名やディレクトリ名をＰＣ１０３に提供する際、ストレージ２０に保存されているファイルやディレクトリのファイル名やディレクトリ名の内、ＰＣ１０３の設定ユーザ「ｕｓｅｒ０１」にアクセス権限が有ると判断されたファイルやディレクトリのファイル名やディレクトリ名については、ファイル名やディレクトリ名を提供することにするが、ＰＣ１０３の設定ユーザ「ｕｓｅｒ０１」にアクセス権限が無いと判断されたファイルやディレクトリのファイル名やディレクトリ名については、ファイル名やディレクトリ名を提供しないことにする。これにより、図１１や図１２のような表示態様となるのである。
【０１３４】
なお、Ｓ２０３−Ｓ２０８の処理は検索応答部２４（図１８参照）により実行され、Ｓ２０９の処理はファイル情報提供部２７（図１８参照）により実行される。Ｓ６０１の処理はアクセス権限判断部５２（図１８参照）とユーザ管理部５１（図１８参照）とファイル制御部２６（図１８参照）により実行され、Ｓ６０２の処理はアクセス権限判断部５２（図１８参照）により実行される。図２２のフロー図により説明した情報処理は、図３の融合機１０１で実行されるだけでなく、図３のストレージ装置１０２でも実行される。この場合、Ｓ２０３−Ｓ２０８の処理は検索応答部３２（図１９参照）により実行され、Ｓ２０９の処理はファイル情報提供部３４（図１９参照）により実行される。Ｓ６０１の処理はアクセス権限判断部６２（図１９参照）とユーザ管理部６１（図１９参照）とファイル制御部３３（図１９参照）により実行され、Ｓ６０２の処理はアクセス権限判断部６２（図１９参照）により実行される。
【０１３５】
図２３は、ファイル検索処理に係るシーケンス図（変形例）である。図１１のファイル検索画面上で、ファイル検索条件の設定操作が入力（Ｓ４０１）されて、ファイル検索の開始操作が入力（Ｓ４０２）されると、ＰＣ１０３から融合機１０１やストレージ装置１０２に、ファイル検索要求が発行（Ｓ４０３）され、融合機１０１やストレージ装置１０２により、ファイル検索が実行（Ｓ４０４）され、融合機１０１やストレージ装置１０２からＰＣ１０３に、ファイル検索応答が発行（Ｓ４０５。Ｓ１０５やＳ２０９に相当）される。このようにして、融合機１０１やストレージ装置１０２からＰＣ１０３に、融合機１０１内のストレージ２０やストレージ装置１０２内のストレージ３０に保存されているファイルのファイル名その他のファイル情報が提供される。
【０１３６】
融合機１０１やストレージ装置１０２は、Ｓ４０３とＳ４０４の間に、ＰＣ１０３の設定ユーザ「ｕｓｅｒ０１」のユーザアカウントを読み出し（Ｓ７０１）ておいて、Ｓ４０４とＳ４０５の間に、検索されたファイルへのアクセスを試行（Ｓ７０２。Ｓ６０１に相当）し、検索されたファイルへのアクセス結果（Ｓ７０３。Ｓ６０２に相当）をもって、検索されたファイルにつき、設定ユーザ「ｕｓｅｒ０１」にアクセス権限が有るのか無いのかを判断する。融合機１０１やストレージ装置１０２は、検索されたファイルの内、設定ユーザ「ｕｓｅｒ０１」にアクセス権限が有ると判断されたファイルについては、そのファイル名をファイルの検索結果としてＰＣ１０３に提供（Ｓ４０５）して、設定ユーザ「ｕｓｅｒ０１」にアクセス権限が無いと判断されたファイルについては、そのファイル名をＰＣ１０３に提供（Ｓ４０５）しない。
【０１３７】
ＰＣ１０３は、検索されたファイルのファイル名をファイルの検索結果として表示（Ｓ４０８。Ｓ１０８に相当）する。
【０１３８】
図２４は、ディレクトリ参照処理に係るシーケンス図（変形例）である。ＰＣ１０３から融合機１０１やストレージ装置１０２に、ディレクトリ参照が要求（Ｓ５０１）されると、融合機１０１やストレージ装置１０２により、ディレクトリ内に存在するファイルやディレクトリのファイル名やディレクトリ名その他のファイル情報やディレクトリ情報が読み出され（Ｓ５０２）て、融合機１０１やストレージ装置１０２からＰＣ１０３に、これらの情報が通知（Ｓ５０３。Ｓ１０５やＳ２０９に相当）される。
【０１３９】
融合機１０１やストレージ装置１０２は、Ｓ５０１とＳ５０２の間に、ＰＣ１０３の設定ユーザ「ｕｓｅｒ０１」のユーザアカウントを読み出し（Ｓ８０１）ておいて、Ｓ５０２とＳ５０３の間に、ディレクトリ内に存在するファイルやディレクトリへのアクセスを試行（Ｓ８０２。Ｓ６０１に相当）し、ディレクトリ内に存在するファイルやディレクトリへのアクセス結果（Ｓ８０３。Ｓ６０２に相当）をもって、ディレクトリ内に存在するファイルやディレクトリにつき、設定ユーザ「ｕｓｅｒ０１」にアクセス権限が有るのか無いのかを判断する。融合機１０１やストレージ装置１０２は、ディレクトリ内に存在するファイルやディレクトリの内、設定ユーザ「ｕｓｅｒ０１」にアクセス権限が有ると判断されたファイルやディレクトリについては、そのファイル名やそのディレクトリ名をＰＣ１０３に提供（Ｓ５０３）して、設定ユーザ「ｕｓｅｒ０１」にアクセス権限が無いと判断されたファイルやディレクトリについては、そのファイル名やそのディレクトリ名をＰＣ１０３に提供（Ｓ５０３）しない。
【０１４０】
ＰＣ１０３は、通知されたファイルやディレクトリのファイル名やディレクトリ名を表示（Ｓ５０６。Ｓ１０８に相当）する。
【０１４１】
図１９の融合機１０１は、本発明（画像形成装置）の実施例に該当して、図１９の融合機１０１により実行される情報処理方法は、本発明の実施例に該当する。図２０のストレージ装置１０２は、本発明（ストレージ装置）の実施例に該当して、図２０のストレージ装置１０２により実行される情報処理方法は、本発明の実施例に該当する。図３の文書処理システム（変形例）において実行される情報処理方法は、本発明の実施例に該当する。
【図面の簡単な説明】
【０１４２】
【図１】アクセス拒否表示の例を表す。
【図２】アクセス拒否表示の例を表す。
【図３】ＯＡ機器が接続されたネットワークに係る機器配置図である。
【図４】図３の融合機に係る機能ブロック図である。
【図５】図３のストレージ装置に係る機能ブロック図である。
【図６】図３のＰＣに係る機能ブロック図である。
【図７】図３の融合機に係るソフトウェア等構成図である。
【図８】図３の融合機に係るハードウェア構成図である。
【図９】図３の融合機に係る外観図である。
【図１０】オペレーションパネルを表す。
【図１１】ＰＣの画面上に表示されるファイル検索画面を表す。
【図１２】ＰＣの画面上に表示されるファイル保存画面を表す。
【図１３】図３のＰＣにより実行される情報処理に係るフロー図である。
【図１４】図３の融合機により実行される情報処理に係るフロー図である。
【図１５】図１３と図１４の情報処理に係るシーケンス図である。
【図１６】ファイル検索処理に係るシーケンス図である。
【図１７】ディレクトリ参照処理に係るシーケンス図である。
【図１８】図３の融合機に係る機能ブロック図（変形例）である。
【図１９】図３のストレージ装置に係る機能ブロック図（変形例）である。
【図２０】図３のＰＣに係る機能ブロック図（変形例）である。
【図２１】図３のＰＣにより実行される情報処理に係るフロー図（変形例）である。
【図２２】図３の融合機により実行される情報処理に係るフロー図（変形例）である。
【図２３】ファイル検索処理に係るシーケンス図（変形例）である。
【図２４】ディレクトリ参照処理に係るシーケンス図（変形例）である。
【符号の説明】
【０１４３】
１１  スキャンサービス
１２  プリントサービス
１３  ストレージサービス
１４  スキャナドライバ
１５  プリンタドライバ
１６  ストレージドライバ
２０  ストレージ
２１  スキャン処理部
２２  プリント処理部
２３  データ管理部
２４  検索応答部
２５  ジョブ制御部
２６  ファイル制御部
２７  ファイル情報提供部
２８  ネットワーク制御部
３０  ストレージ
３１  データ管理部
３２  検索応答部
３３  ファイル制御部
３４  ファイル情報提供部
３５  ネットワーク制御部
４１  ＵＩ処理部
４２  検索部
４３  ジョブ制御要求部
４４  ファイル制御要求部
４５  ファイル情報取得部
４６  ファイル情報表示部
４７  アクセス権限判断部
４８  ネットワーク制御部
５１  ユーザ管理部
５２  アクセス権限判断部
６１  ユーザ管理部
６２  アクセス権限判断部
１０１  融合機
１０２  ストレージ装置
１０３  パーソナルコンピュータ
１０４  認証サーバ
１０５  ネットワーク
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１４６  リモートＦＡＸアプリ
１４７  ＢＭＬｉｎｋＳアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  テンキー
３１３  スタートボタン
３１４  リセットボタン
３１５  初期設定ボタン
３２１  ＡＤＦ
３２２  フラットベッド
３２３  フラットベッドカバー
４０１  樹形図
４０２  樹形図展開ボタン
【図１】
2005141351.tif 000003
【図２】
2005141351.tif 000004
【図３】
2005141351.tif 000005
【図４】
2005141351.tif 000006
【図５】
2005141351.tif 000007
【図６】
2005141351.tif 000008
【図７】
2005141351.tif 000009
【図８】
2005141351.tif 000010
【図９】
2005141351.tif 000011
【図１０】
2005141351.tif 000012
【図１１】
2005141351.tif 000013
【図１２】
2005141351.tif 000014
【図１３】
2005141351.tif 000015
【図１４】
2005141351.tif 000016
【図１５】
2005141351.tif 000017
【図１６】
2005141351.tif 000018
【図１７】
2005141351.tif 000019
【図１８】
2005141351.tif 000020
【図１９】
2005141351.tif 000021
【図２０】
2005141351.tif 000022
【図２１】
2005141351.tif 000023
【図２２】
2005141351.tif 000024
【図２３】
2005141351.tif 000025
【図２４】
2005141351.tif 000026